【事件の表示】
　特許第６２１９２１６号発明「小動物防獣ネット」の特許異議申立事件について、次のとおり決定する。
【結　論】
　特許第６２１９２１６号の明細書及び特許請求の範囲を訂正請求書に添付された訂正明細書及び訂正特許請求の範囲のとおり、訂正後の請求項〔１−１０〕について訂正することを認める。
　特許第６２１９２１６号の請求項１、６ないし１０に係る特許を維持する。
　特許第６２１９２１６号の請求項２ないし５に係る特許についての特許異議の申立てを却下する。
【理　由】
第１　手続の経緯 
　特許第６２１９２１６号の請求項１〜１０に係る特許についての出願は、平成２６年３月３１日を出願日とし、平成２９年１０月６日付けでその特許権の設定登録がされ、平成２９年１０月２５日に特許掲載公報が発行された。その後、平成３０年３月９日に特許異議申立人特許業務法人虎ノ門知的財産事務所（以下「申立人」という。）より、請求項１〜１０に対して特許異議の申立てがされ、同年６月２１日付けで取消理由（発送日同年６月２７日）が通知され、その指定期間内である同年８月２４日に意見書が提出され、同年１０月２９日に取消理由（決定の予告）（発送日同年１１月２日）が通知され、その指定期間内である同年１２月２７日に意見書の提出及び訂正請求がされ、平成３１年２月１８日に申立人から意見書が提出されたものである。
第２　訂正請求について
１　訂正の内容 
　本件訂正請求による訂正の内容は以下のとおりである。（下線は訂正箇所を示す。） 
（１）訂正事項１
　請求項１に、
「起立して設置された防護柵の下部に付設される小動物防獣ネットにおいて、
　前記小動物防獣ネットは、経糸及び緯糸が格子状に配列されると共に、角目を持つネット状編織物で構成されており、
　前記経糸及び緯糸は、芯成分が高融点重合体で鞘成分が低融点重合体よりなる芯鞘型複合長繊維が多数本集束されてなるマルチフィラメント糸を素材とするものであり、前記鞘成分の溶融固化によって、前記マルチフィラメント糸を構成する前記芯鞘型複合長繊維相互間が融着して一体化していると共に、経糸及び緯糸の交錯点で融着していることを特徴とする小動物防獣ネット。」
と記載されているのを、
「
地盤上に
沿って垂下させると共に、該地盤に沿って敷設されることにより略Ｌ字状に
　
前記小動物はタヌキであり、
　前記小動物防獣ネットは、経糸及び緯糸が格子状に配列されると共に、
各辺が２．５〜３．５ｃｍである
ラッセル編物
　
前記ラッセル編物の
前記
ポリエチレンテレフタレートである
共重合ポリエステルである
繊度５〜１５デシテックスの
該経糸が鎖編糸及び挿入糸で形成されており、該緯糸が挿入糸のみで形成されており
　前記鞘成分の溶融固化によって、前記マルチフィラメント糸を構成する前記芯鞘型複合長繊維相互間が融着して一体化していると共に、経糸及び緯糸の交錯点で融着していることを特徴とする小動物防獣ネット。」
に訂正する。
　請求項１の記載を引用する請求項２〜１０も同様に訂正する。
（２）訂正事項２
　　請求項２〜５を削除する。
（３）訂正事項３
　請求項７に、
「請求項１記載の小動物防護ネットを、起立して設置された防護柵の下部に沿って垂下させると共に山野側の地盤に沿って敷設されていることを特徴とする小動物防護ネットの付設構造。」
と記載されているのを、
「請求項１記載の小動物防
獣
獣
に訂正する。
　請求項７の記載を引用する請求項８〜１０も同様に訂正する。
（４）訂正事項４
　請求項８に、
「地盤と小動物防護ネットの間に、防草シートが敷設されている請求項７記載の小動物防護ネットの付設構造。」
と記載されているのを、
「地盤と小動物防
獣
獣
に訂正する。
（５）訂正事項５
　請求項９に、
「小動物防獣ネットが黒色であって、防護柵から山野側へ３０ｃｍ以上敷設されている請求項７記載の小動物防護ネットの付設構造。」
と記載されているのを、
「小動物防獣ネットが黒色であって、防護柵から山野側へ３０ｃｍ以上敷設されている請求項７記載の小動物防
獣
に訂正する。
　請求項９の記載を引用する請求項１０も同様に訂正する。
（６）訂正事項６
　請求項１０に、
「地盤とネット状編織物の間に、黒色の防草シートが敷設されている請求項９記載の小動物防護ネットの付設構造。」
と記載されているのを、
「地盤とネット状編織物の間に、黒色の防草シートが敷設されている請求項９記載の小動物防
獣
に訂正する。
（７）訂正事項７
　明細書の【０００６】に、
「上記課題を解決するため、本発明は、特定の糸を慣用の編織機械で編織してネットを得た後に、熱処理することによって、弾性及び剛性のある小動物防獣ネットを得たものである。すなわち、本発明は、起立して設置された防護柵の下部に付設される小動物防獣ネットにおいて、前記小動物防獣ネットは、経糸及び緯糸が格子状に配列されると共に、角目を持つネット状編織物で構成されており、前記経糸及び緯糸は、芯成分が高融点重合体で鞘成分が低融点重合体よりなる芯鞘型複合長繊維が多数本集束されてなるマルチフィラメント糸を素材とするものであり、前記鞘成分の溶融固化によって、前記マルチフィラメント糸を構成する前記芯鞘型複合長繊維相互間が融着して一体化していると共に、経糸及び緯糸の交錯点で融着していることを特徴とする小動物防獣ネットに関するものである。」
と記載されているのを、
「上記課題を解決するため、本発明は、特定の糸を
ラッセル編機で編成
地盤上に
沿って垂下させると共に、該地盤に沿って敷設されることにより略Ｌ字状に
前記小動物はタヌキであり、
各辺が２．５〜３．５ｃｍである
ラッセル編物
前記ラッセル編物の
前記
ポリエチレンテレフタレートである
共重合ポリエステルである
繊度５〜１５デシテックスの
該経糸が鎖編糸及び挿入糸で形成されており、該緯糸が挿入糸のみで形成されており
に訂正する。
（８）訂正事項８
　明細書の【０００８】に、
「小動物用防獣ネットは、経糸及び緯糸が格子状に配列されると共に、角目を持つネット状編織物で構成されている。経糸及び緯糸が格子状に配列され、角目を持つネット状編織物の代表例としては、ラッセル編物や絡み織物を挙げることができる。」
と記載されているのを、
「小動物用防獣ネットは、経糸及び緯糸が格子状に配列されると共に、角目を持つ
ラッセル編物
に訂正する。
（９）訂正事項９
　明細書の【０００９】中の第一文に、
「ラッセル編物の場合、鎖編糸及び挿入糸が経糸となり挿入糸が緯糸となる。」
と記載されているのを、
「ラッセル編物
は
に訂正する。
（１０）訂正事項１０
　明細書の【００１０】中の後から第二文に、
「角目の大きさは任意であるが、一般的に縦３．５ｃｍ以下で横３．５ｃｍ以下である。」
と記載されているのを、
「角目の大きさは、
２．５〜３．５ｃｍ
に訂正する。
（１１）訂正事項１１
　明細書の【００１１】を削除する。
（１２）訂正事項１２
　明細書の【００１２】中の第一文に、
「ネット状編織物を構成している経糸及び緯糸には、芯成分が高融点重合体で鞘成分が低融点重合体よりなる芯鞘型複合長繊維が多数本集束されてなるマルチフィラメント糸を素材とするものが用いられる。」
と記載されているを、
「
ラッセル編物
に訂正する。
　明細書中の【００１２】中の第四文に、
「各重合体の材料は任意であるが、一般的に、高融点重合体としてレギュラーポリエステルが用いられ、低融点重合体として低融点ポリエステルが用いられる。」
と記載されているのを、
「高融点重合体として
ポリエチレンテレフタレート
共重合
に訂正する。
（１３）訂正事項１３
　明細書中の【００１３】中の第三文以降に、
「集束する本数も任意であるが、一般的に１０００〜６０００本である。１０００本未満であると、ネット状編織物の剛性が低下する傾向となる。また、６０００本以上であると、ネット状編織物の剛性が高くなりすぎて、曲げにくくなる傾向が生じる。」
と記載されているを、
「集束する本数も任意であるが、一般的に１０００〜６０００本である。１０００本未満であると、
ラッセル編物
ラッセル編物
に訂正する。
（１４）訂正事項１４
　明細書中の【００１４】中の第五文及び第六文に、
「したがって、低融点成分か溶融固化したものの内部に、高融点成分よりなる芯成分が長繊維形態を保って内在しており、得られるネット状編織物は、伸度が低く、高引張強度で高剛性で、切創性（切断性）に優れたものとなり、小動物の加える力によって、変形したり破断したり、或いは食いちぎられたりしにくいものである。また、芯鞘型複合長繊維として原着繊維を用いると、黒色のネット状編織物となり、小動物を含む各種動物が近づきにくくなる。」
と記載されているのを、
「したがって、低融点成分か溶融固化したものの内部に、高融点成分よりなる芯成分が長繊維形態を保って内在しており、得られる
ラッセル編物
ラッセル編物
に訂正する。
（１５）訂正事項１５
　明細書中の【００１５】中の第一文に、
「以上のネット状編織物は、起立して設置された防護柵の下部に付設されて、小動物防獣ネットとなる。」
と記載されているのを、
「以上の
ラッセル編物
に訂正する。
（１６）訂正事項１６
　明細書中の【００１７】に、
「本発明に係る小動物防獣ネットは、特定のマルチフィラメント糸を用いて、ラッセル編物や絡み織物を製編織して、熱処理するだけで得られるものであるため、特許文献１に記載された小動物防獣ネットに比べて、合理的に得ることができるという効果を奏する。」
と記載されているのを、
「本発明に係る小動物防獣ネットは、特定のマルチフィラメント糸を用いて、ラッセル編物
を製編して
に訂正する。
２　訂正の適否 
（１）訂正事項１について
　ア　訂正の目的の適否について
　訂正事項１は、小動物防獣ネットについて、「地盤上に」、「沿って垂下させると共に、該地盤に沿って敷設されることにより略Ｌ字状に」、「小動物はタヌキであり」、「各辺が２．５〜３．５ｃｍである」、「ラッセル編物」、「（芯成分が）ポリエチレンテレフタレートである」、「（鞘成分が）共重合ポリエステルである」、「繊度５〜１５デシテックス」、「該経糸が鎖編糸及び挿入糸で形成されており、該緯糸が挿入糸のみで形成されており」という限定をしたものといえるから、特許請求の範囲の減縮を目的とするものである。
　イ　実質上特許請求の範囲を拡張し、又は変更するか否かについて 
　上記アで説示したように、訂正事項１は小動物防獣ネットについて限定したものであるから、実質上特許請求の範囲を拡張し、又は変更するものではない。 
　ウ　願書に添付した明細書、特許請求の範囲又は図面（以下「明細書等」という。）に記載した事項の範囲内の訂正であるか否かについて 
　訂正事項１に関して、「地盤上に」、「沿って垂下させると共に、該地盤に沿って敷設されることにより略Ｌ字状に」の訂正については、「【００１５】 以上のネット状編織物は、起立して設置された防護柵の下部に付設されて、小動物防獣ネットとなる。付設の具体例は、たとえば図１に示したとおりであり、防護柵１の下部に沿って小動物防獣ネット２を垂下させると共に山野側の地盤に沿って敷設する。」と記載され、図１から看て取れる事項である。
　「小動物はタヌキであり」の訂正については、「【０００２】山野を通過する高速道路においては、走行中の車両と野生動物との衝突事故が発生している。・・・このうち最も多いのはタヌキで全体の４５％を占め・・・タヌキは夜間に行動するが、高速道路と山野の境界に起立して設置した防護柵の下部のすき間などから侵入し、自動車のヘッドライトを見てすくんでしまう性質が災いしていると考えられる。」との記載から、読み取れる事項である。
　「各辺が２．５〜３．５ｃｍである」、「ラッセル編物」の訂正については、「【請求項５】角目の大きさは縦３．５ｃｍ以下で横３．５ｃｍ以下である請求項１記載の小動物防獣ネット。」、「【００１９】実施例１・・・【００２０】マルチフィラメント糸Ａを鎖編する糸とし、マルチフィラメントＢを挿入糸として、ラッセル編機で図３の編組織となるように製編した。・・・得られたネット状編物は、２．５ｃｍの角目を持つものであった。・・・【００２１】実施例２・・・【００２２】・・・得られたネット状編物は、３．５ｃｍの角目を持つものであった。このネット状編物を実施例１と同一の方法で防護柵の下部に付設して、小動物防獣ネットとした。」との記載から、読み取れる事項である。
　「（芯成分が）ポリエチレンテレフタレートである」、「（鞘成分が）共重合ポリエステルである」、「繊度５〜１５デシテックス」、「該経糸が鎖編糸及び挿入糸で形成されており、該緯糸が挿入糸のみで形成されており」の訂正については、「【請求項３】ラッセル編物は、経糸が鎖編糸及び挿入糸で形成されており、緯糸が挿入糸で形成されている請求項１記載の小動物防獣ネット。」、「【００１２】ネット状編織物を構成している経糸及び緯糸には、芯成分が高融点重合体で鞘成分が低融点重合体よりなる芯鞘型複合長繊維が多数本集束されてなるマルチフィラメント糸を素材とするものが用いられる。・・・各重合体の材料は任意であるが、一般的に、高融点重合体としてレギュラーポリエステルが用いられ、低融点重合体として低融点ポリエステルが用いられる。・・・芯鞘型複合長繊維の繊度は任意であるが、一般的に５〜１５デシテックス程度である。」、「【００１９】実施例１  以下のマルチフィラメント糸Ａ及びマルチフィラメント糸Ｂを準備した。マルチフィラメント糸Ａ：鞘成分が融点１６０℃の共重合ポリエステル（低融点重合体）よりなり、芯成分が融点２６０℃のポリエチレンテレフタレート（高融点重合体、レギュラーポリエステル）よりなる芯鞘型複合長繊維よりなる１６７０デシテックス／１９２フィラメント（ユニチカ株式会社製：「メルセット」）のマルチフィラメント糸を９本引き揃えたものを、マルチフィラメント糸Ａとした。」との記載から、読み取れる事項である。
　以上のとおり、訂正事項１は明細書等に記載されているものと認められる。 
（２）訂正事項２について
　訂正事項２は、請求項２〜５を削除するものであり、特許請求の範囲の減縮を目的とするものであって、新規事項の追加に該当せず、また、実質上特許請求の範囲を拡張し、又は変更するものではない。
（３）訂正事項３〜６について
　訂正事項３〜６は、「小動物防護ネット」を「小動物防獣ネット」と訂正するものであり、誤記の訂正を目的とするものであって、新規事項の追加に該当せず、また、実質上特許請求の範囲を拡張し、又は変更するものではない。
（４）訂正事項７〜１６について
　訂正事項７〜１６は、上記訂正事項１、２の訂正に伴って、特許請求の範囲の記載と発明の詳細な説明の記載を整合させるものであるから、明瞭でない記載の釈明を目的とするものである。
　また、訂正事項７〜１６は、明細書等に記載した事項の範囲内の訂正であって、実質上特許請求の範囲を拡張し、又は変更するものでもないことは明らかである。
（５）一群の請求項について 
　訂正前の請求項１〜１０は、請求項２〜１０が、訂正の請求の対象である請求項１の記載を引用する関係にあるから、訂正前の請求項１〜１０は、訂正前において一群の請求項に該当するものである。したがって、訂正の請求は、特許法第１２０条の５第４項に規定する一群の請求項ごとにされたものである。 
３　小括 
　したがって、上記訂正請求による訂正事項１〜１６は、特許法第１２０条の５第２項ただし書第１号〜第３号に掲げる事項を目的とするものであり、かつ、同条第９項で準用する同法第１２６条第５項、第６項の規定に適合するので、訂正後の請求項〔１〜１０〕について訂正を認める。 
第３　特許異議の申立てについて
１　訂正後の請求項１、６〜１０に係る発明 
　上記訂正請求により訂正された請求項１、６〜１０に係る発明（以下、「本件発明１」等、あるいはまとめて「本件発明」という。）は、以下のとおりのものである。（下線は訂正箇所を示す。） 
「【請求項１】
　
地盤上に
沿って垂下させると共に、該地盤に沿って敷設されることにより略Ｌ字状に
　
前記小動物はタヌキであり、
　前記小動物防獣ネットは、経糸及び緯糸が格子状に配列されると共に、
各辺が２．５〜３．５ｃｍである
ラッセル編物
　
前記ラッセル編物の
前記
ポリエチレンテレフタレートである
共重合ポリエステルである
、繊度５〜１５デシテックスの
該経糸が鎖編糸及び挿入糸で形成されており、該緯糸が挿入糸のみで形成されており、
　前記鞘成分の溶融固化によって、前記マルチフィラメント糸を構成する前記芯鞘型複合長繊維相互間が融着して一体化していると共に、経糸及び緯糸の交錯点で融着していることを特徴とする小動物防獣ネット。
【請求項６】
　黒色である請求項１記載の小動物防獣ネット。
【請求項７】
　請求項１記載の小動物防
獣
獣
【請求項８】
　地盤と小動物防
獣
獣
【請求項９】
　小動物防獣ネットが黒色であって、防護柵から山野側へ３０ｃｍ以上敷設されている請求項７記載の小動物防
獣
【請求項１０】
　地盤とネット状編織物の間に、黒色の防草シートが敷設されている請求項９記載の小動物防
獣
２　取消理由の概要
　訂正前の請求項１〜１０に係る特許に対して平成３０年１０月２９日付けで特許権者に通知した取消理由（決定の予告）の要旨は、次のとおりである。
　本件発明１〜１０は、甲１発明、及び甲第２号証〜甲第９号証に記載された事項に基いて、当業者が容易に発明をすることができたものではあるから、その特許は特許法第２９条第２項の規定に違反してされたものである。
　甲第１号証：特開２０１３−２４７８８７号公報  
　甲第２号証：特開２００３−３１００９０号公報  
　甲第３号証：特開２００６−３４０６７４号公報  
　甲第４号証：特開２００２−６５１４０号公報  
　甲第５号証：特開２００６−２９６２３４号公報  
　甲第６号証：特開２００８−１８７９５１号公報  
　甲第７号証：特開平８−１０３１７７号公報  
　甲第８号証：特開２００９−１３３１８５号公報  
　甲第９号証：特開２００４−３３２１５２号公報  
３　甲各号証の記載 
（１）甲第１号証には、次の記載があり、以下の発明（以下「甲１発明」という。）が記載されていると認められる。（下線は決定で付与。以下同じ。） 
　ア　「【特許請求の範囲】 
【請求項１】 
　
所定領域の内部と外部とを仕切る仕切ネットにおいて、
　
所定の融点を有する合成繊維製の通常融点繊維素材から構成される芯部およびその芯部の外周面を被覆すると共に前記通常融点繊維素材よりも低い融点を有する合成繊維製の低融点繊維素材から構成される鞘部を備えた第１糸と、前記通常融点繊維素材から構成される第２糸と、を合糸することで形成された複数の混合糸により形成され、前記第１糸の鞘部を溶融して前記複数の混合糸を互いに融着させることで網状に成形された網地部を備え、
　
前記混合糸は、その混合糸全体に対する前記第１糸の含有率が１５％以上に設定されていることを特徴とする仕切ネット
　イ　「【００３２】 
　以下、本発明の好ましい実施形態について、添付図面を参照して説明する。まず、図１を参照して、フェンス１００の概略構成について説明する。図１は、本発明の第１実施の形態におけるフェンス１００の正面図である。なお、図１では、図面を簡素化して理解を容易とするため、フェンス１００の主要な部分を模式的に図示すると共に、フェンス１００の一部を省略して図示している。 
【００３３】 
　図１に示すように、フェンス１００は、学校の校庭や球技場等の敷地の周囲に設けられている。このフェンス１００を設置することにより、敷地の内部で使用されたボール等が場外へ飛び出すことを防止できると共に、部外者の敷地内への侵入を抑止することができる。 
【００３４】 
　フェンス１００は、複数の支柱２０と、それら支柱２０に架設される複数のワイヤ３０と、それら複数のワイヤ３０に展張される防球ネット４０とを備えている。なお、図１では、図面を簡素化して理解を容易とするため、防球ネット４０の網糸および網目を拡大して図示している。 
【００３５】 
　複数の支柱２０は、一部が地中に埋設されることで地面に立設されており、敷地の周囲に等間隔（例えば、８ｍおき）に設置されている。 
【００３６】 
　複数のワイヤ３０は、防球ネット４０を展張させるための部材であり、鉛直方向に沿って架設される鉛直ワイヤ３１と、所定の高さ位置において水平方向に沿って架設される兼用ワイヤ３２と、その兼用ワイヤ３２よりも上方で水平方向に沿って架設される上ワイヤ３３と、兼用ワイヤ３２よりも下方であって地面から所定寸法離れた高さ位置において水平方向に沿って架設される下ワイヤ３４とを備えている。 
【００３７】 
　なお、本実施の形態では、兼用ワイヤ３２の地面からの高さ位置が２ｍ、上ワイヤ３３の地面からの高さ位置が１２ｍ、下ワイヤの地面からの高さ位置が１０ｃｍにそれぞれ設定されているが、これら複数のワイヤ３０の架設位置は、使用状況において適宜変更してもよい。 
【００３８】 
　防球
ネット４０は、所定の高さ位置から上方において展張される上方ネット５０と、所定の高さ位置から下方において展張される下方ネット６０とを備えている
  
　ウ　「【００４５】 
　下方ネット６０は、網状に形成された網地部６１と、その網地部６１の上側および下側における側端部分に取着された直線部６２とを備えている。 
【００４６】 
　
網地部６１は、下方ネット６０の網地を形成する部位であり、所定の融点を有するポリエステル製の通常融点繊維素材から構成される芯部およびその芯部の外周面を被覆すると共に通常融点繊維素材よりも低い融点を有するポリエステル製の低融点繊維素材から構成される鞘部を備えた第１糸と、通常融点繊維素材から構成される第２糸と、を合糸した複数の混合糸６３を網糸として使用し、第１糸の鞘部を溶融して複数の混合糸６３を互いに融着させることで網状に成形されている
・・・ 
【００４９】 
　ここで、
網地部６１に使用される混合糸６３は、第１糸の混合糸６３全体に対する含有率が１５％以上、かつ、６０％以下に設定されることが好ましい
  
　エ　「【００５９】 
　このとき、網地部６１となる部分には、所定間隔を空けつつ両隣に位置する混合糸６３の一部分同士を交互に当接させ、全体として亀甲状の網目が形成されるように、複数の混合糸６３を蛇行状に配置する。 
【００６０】 
　なお、隣接する混合糸６３の一部分同士を当接させる際、その当接面積を広くすることで、隣接する混合糸６３同士の融着力を強固にすることができる。本実施の形態では、８コース分の間隔を空けつつ両隣に位置する混合糸６３に対して交互に１箇所あたり５コース分ずつ当接させている。また、
網目の形状は亀甲状に限られるものではなく、格子状等であってもよい
【００６１】 
　直線部６２となる部分には、一の混合糸６３を網地部６１となる部分の上側および下側の側端部分に位置する混合糸６３に当接させつつ、一の混合糸６３を含む複数の混合糸６３を直線状に並設する。 
【００６２】 
　混合糸配置工程に続き、網地部成形工程として、混合糸配置工程における混合糸６３の配置を保持した状態で、テンターを用いて低融点繊維素材の融点よりも高く、かつ、通常融点繊維素材の融点よりも低い温度（例えば、２００℃）で加熱する。これにより、第１糸の鞘部が溶融されると共に、その溶融した第１糸の鞘部を介して複数の混合糸６３が互いに融着され、網地部６１及び直線部６２が成形される。」 
  
　オ　「【００９５】 
　上記各実施の形態では、
仕切ネットをフェンス１００又は生簀２００に使用する場合について説明したが、必ずしもこれに限られるものではなく
野生動物等の敷地内への侵入を防止する防獣ネット等に使用してもよい
・・・ 
【００９７】 
 　上記各実施の形態では、混合糸６３全体に対する第１糸の含有率が６０％以下に設定される点について説明したが、必ずしもこれに限られるものではなく、使用状況に応じ、混合糸６３全体に対する第１糸の含有率を６０％よりも高く設定してもよい。例えば、
混合糸６３全体に対する第１糸の含有率を１００％、即ち、混合糸６３を第１糸のみにより形成してもよい
  
　カ　上記アの仕切ネットの構成と上記ウの網地部６１の構成を比較すれば、網地部６１が仕切ネットであることは明らかである。 
  
　キ　上記ア〜カの記載を踏まえると以下の甲１発明が記載されていると認められる。 
  
甲１発明 
「ネット４０は、所定の高さ位置から上方において展張される上方ネット５０と、所定の高さ位置から下方において展張される下方ネット６０とを備えており、 
　網地部６１（仕切ネット）は、下方ネット６０の網地を形成する部位であり、所定の融点を有するポリエステル製の通常融点繊維素材から構成される芯部およびその芯部の外周面を被覆すると共に通常融点繊維素材よりも低い融点を有するポリエステル製の低融点繊維素材から構成される鞘部を備えた第１糸と、通常融点繊維素材から構成される第２糸と、を合糸した複数の混合糸６３を網糸として使用し、第１糸の鞘部を溶融して複数の混合糸６３を互いに融着させることで網状に成形されており、 
　混合糸６３全体に対する第１糸の含有率を１００％、即ち、混合糸６３を第１糸のみにより形成してもよく、 
　網地部６１（仕切ネット）の網目の形状は亀甲状に限られるものではなく、格子状等であってもよく、 
　網地部６１（仕切ネット）は野生動物等の敷地内への侵入を防止する防獣ネット等に使用してもよい、 
　網地部６１（仕切ネット）」 
  
（２）甲第２号証には、次の記載がある。 
　ア　「【請求項１】 
マトリックス樹脂を構成する熱可塑性樹脂からなる低融点成分と、補強繊維を構成する熱可塑性樹脂からなる高融点成分とを備えた複合繊維で構成した線状体によるネット状物であって、前記線状体は、前記複合繊維を収束した複合繊維束中間線状体を、所定目合いのメッシュ状体に編網した後、緊張下に、前記低融点成分を溶融固化させて、前記補強繊維を前記低融点成分で一体的に結着したことを特徴とする繊維強化熱可塑性樹脂製ネット状物
  
　イ　「【０００１】 
【発明の属する技術分野】本発明は、鯛、ヒラメ、ハマチなど魚介類の養殖に使用される
養殖用ネット
  
　ウ　「【００４４】すなわち、本実施例の場合には、複合繊維２は、低融点成分２ａが鞘部となっていて、高融点成分２ｂが芯部となる鞘芯型構造になっている。この複合繊維２は、多数本、収束した複合繊維束中間線状体１とされる。複数本の複合繊維２を複合繊維束中間線状体１にする際には、撚りを掛けることによって、離脱してバラバラになることが防止される。 
【００４５】この撚りは、複合繊維２の直径や、本数によっても異なるが、例えば、（０．５〜３）回／ｃｍ程度が好ましい。複合繊維束中間線状体１は、連続状態で製作され、編網可能な柔軟性を有した中間体であって、網撚合機の線状物供出ボビンに巻かれて編網され、図３に示すメッシュ状体３に形成される。 
【００４６】
メッシュ状体３の目合いは、例えば、１０ｍｍ以上とされる
・・・ 
【００４９】この場合、メッシュ状体３の一例として無結節網を例示して説明したが、本発明の目的が達せられるならば、例えば、結節網，ラッセル網等いかなる方法によってもメッシュ状体を作成することができる。また、形状についても、例えば円柱状、円錐状等いかなる形状の養殖用ネット、蛇篭の面構成材としても本発明のネット状物４を用いることが可能である。」 
 
（３）甲第３号証には、次の記載がある。 
　ア　「【請求項１】 
　
脚と結節とを持つ合成繊維製ラッセル編ネットであって、該脚と該結節とは、二本の鎖編糸Ａ，Ｂと挿入糸Ｃとで編成されており、そのうちの一本の鎖編糸Ａは、所定のコースでループパイルを形成するように編成されると共に、該ループパイルの頂上付近が切断されてカットパイルを形成しており、該鎖編糸Ａは高剛性のモノフィラメントで形成されていることを特徴とする動物忌避ネット
 
　イ　「【０００９】 
　本発明に係る
動物忌避ネットは、合成繊維製ラッセル編ネットよりなる
ラッセル編組織で編成されてなる網状物である
角目
網目３の大きさは、忌避する動物によって異なり、猪や鹿等の大型又は中型の動物の場合には１００ｍｍ
2
程度が好ましく、鼠や兎等の小型の動物の場合には２５ｍｍ
2
程度が好ましい
【００１０】 
 　本発明で用いる
合成繊維製ラッセル編ネットの脚１は、いずれも、鎖編糸Ａ，Ｂと挿入糸Ｃとで編成されている。したがって、結節２も、鎖編糸Ａ，Ｂと挿入糸Ｃとで編成されている。鎖編糸Ａは、鎖編みされているだけではなく、カットパイル４を形成するためのものである
  
（４）甲第４号証には、次の記載がある。 
「【００２４】錘付きネット１０の用途としては、防風または防砂、園芸作物の栽培、鳥獣防止等のネットとして使用することができる。例えば、網面１２の外形線に沿ってコード状の錘１２を取り付けたものを、ゴミ回収場のカラス避けに使用するとよい。また、錘付きネット１０は、漁網等の水中用のネットに適用することもできる。 
 【００２５】前記実施の形態では、
網面１２をラッセル織りにしている
  
（５）甲第５号証には、次の記載がある。 
　ア　「【請求項１】 
　単糸又は撚糸を編網してなる網地から構成され、該網地の上部網より下側にある下部網に複数のループを間隙を置いて前記網地の幅方向に表面に形成してなり、１つの前記ループの長さが前記網地の目合いよりも大きく設定され、前記１つのループの長さが５〜３０ｃｍ、高さが１〜１０ｃｍ、直径が０．５〜５ｍｍに設定されていることを特徴とする防獣ネット。」 
 
　イ　「【技術分野】 
【０００１】 
　本発明は防獣ネット及びその施工方法に関し、詳しくは、農作物や造林木の若芽、樹皮などを、野生の動物、特に猪の獣害から効果的に守ることができる防獣ネットに関するものである。」 
  
　ウ　「【０００９】 
　防獣ネット１は、単糸を編網してなる網地２から構成され、網地の上部網３より下側にある下部網４に複数のループ５を間隙を置いて網地２の幅方向にその表面側に形成してなり、１つのループ５の長さが網地２の目合いよりも大きく設定され、１つのループ５の長さが５〜３０ｃｍ、高さが１〜１０ｃｍ、直径が１〜５ｍｍに設定されている。また、記網地２の上部網３と下部網４とは一体に形成してある。 
【００１０】 
　
防獣ネット１は、合成繊維単糸を用い、網目形状が角形で、かつ、一辺が２〜２０ｃｍ、特に２〜３ｃｍになるように編網し、網地２を作製することが好ましい
ラッセル綱
・・・ 
【００１３】 
　防獣ネットの施工方法は、（１）防獣ネット１の上部網３を支柱１０で立設して、フェンス部分を構成し、上部網３より下側の下部網４を地面１１に敷設し、トラップ部分を構成するものである。この防獣ネット１の上部網３の高さは、通常１〜２．５ｍ、好ましくは、１〜１．７ｍ程度であり、また、幅は、防獣ネットを設置する場所の地形により、異なるが、一般には５〜１００ｍ、好ましくは５〜５０ｍ程度である。また、
地面に置かれる下部網４は、フェンス部分の最下部１２が地面１１についたところから地面に沿って、２０〜２００ｃｍ、好ましくは２０〜１５０ｃｍ、特に好ましくは、２０〜１００ｃｍの長さで地面１１に沿って設置されることが好ましい
  
（６）甲第６号証には、次の記載がある。 
　ア　「【００１０】 
　なお、ネットからなる防獣ネットにおいて、下記特許文献１に開示されているように、設置したときに垂直方向上部とすべき部分を粗い網目に形成し、垂直方向下部とすべき部分を細かい網目に形成して、大小さまざまな動物の侵入を防止できるようにしたものがある。防獣ネットの色についての言及はないが、一般的には緑色や黒色、白色である。しかし、この防獣ネットは、図５に示したように、細かい網目部分１０１から内部の作物１０２を見ることができるので、上記の如くイノシシに対しては確実な侵入防止を図れない難点がある。」 
 
　イ　「【００１８】 
　同様に、下側に位置する密織り部の下側部分に、外方に向けて延びて地面を這う被覆部を設けると、イノシシにとっては、下方に手前がわに向けて延びる被覆部がはっきりと見えるので、立体感のある障害物とすることができ、さらに警戒心を煽ることができるとともに、２０ｃｍの隙間もあれば侵入してくるというイノシシの侵入を防止できる。この被覆部はまた、イノシシの足が触れるとイノシシに絡みつくような感じを与えるので、このことによってもイノシシの侵入防止を図ることができる。」 
 
　ウ　「【００２７】 
　上記の密織り部２１は、使用時において上下方向の下方になる部分で、地面から立ち上がる立ち上がり面部２２と、該立ち上がり面部２２の下端から外方に向けて延びて地面を這う被覆部２３とを有する。」 
  
（７）甲第７号証には、次の記載がある。 
　ア　「【００３１】本発明の防草シートは、歩行道路、自動車道路、特に高速道路などの道路の中央分離帯、路肩、法面、つまりグリーンベルト地帯に敷設することにより、以後の除草作業や清掃作業の心配をすることなく、しかも、太陽やライトの光の反射が少なく、目に優しく、グリーンベルトが明確に認識、確認できるので、自動車運転者に極めて安全と安心感を与えるものである。」 
  
　イ　「【００３８】比較例１ 
実施例１で得た
黒色の
防草シート
  
（８）甲第８号証には、次の記載があり、以下の発明（以下「甲８発明」という。）が記載されていると認められる。 
　ア　「【技術分野】 
【０００１】 
　本発明は、自動車道路における野生動物の侵入や横断を防止し、交通事故を回避するために使用される侵入防止装置に関し、とくに、
小動物が自動車道路の用地境界に設置された立入防止柵の下方から道路へ侵入することを防止する侵入防止装置に関するものである
・・・ 
【０００５】 
　そこで、例えば特許文献２に示されるように、野生動物の交通事故、野生動物による食害等、野生動物の侵入を阻止するため、金網製の防止柵が提案されている。ここでは、エゾジカ等の大型動物が衝突した場合、網体の破損や動物の負傷を軽減するべく、網面を形成している各列線が複数本の撚線または平行状の束線からなる複線で形成されている。また金網製の防護網と、この防護網に対する防護圏の外側で下部の位置に配置されるスカート部材とからなり、防護網を起立状に配し、この防護網の外側で下部の位置にスカート部材を先端下がりの傾斜状に配置することにより、防護網の近くで動物が跳躍するのを困難にし、跳躍による乗り越えの発生を防ぐことにより、防護網で直接的な侵入を防ぐと同時に、スカート部材で跳躍による防護網の飛び越えを防止する有害動物の侵入防止装置が提案されている（特許文献３及び特許文献４参照。）。」 
  
　イ　「【００１０】 
　合成樹脂製網状体は、例えば、ポリエステルモノフィラメント線を用い、網面を形成する各列線が複数本の撚り線とすることにより形成される。本発明における網面は、その網目が、菱形であるもの、亀甲形であるもの、これらに類する形のもの、いずれでも良くて制限されない。 
・・・ 
【実施例】 
【００１４】 
　図１に示すように、本発明に係る小動物の自動車道路への侵入防止装置の一つの実施形態は、
自動車道路との境界に設置される既設の立入り防止柵２の下部から地面にかけて弾性網状体１を取り付けるものである。これは弾性網状体１を略直角に屈曲して立位部１ａとスカート部１ｃとを構成し、立位部１ａの任意箇所を結束バンド４等で立入防止柵２の胴縁７に固定し、スカート部１ａを倒伏させ弾発付勢して地面８に当接させたものである。そして、立位部１ａで、立入り防止柵２と地面８との隙間から小動物が道路へ直接的に侵入するのを防ぐと同時に、スカート部１ａで、立入り防止柵２近傍から地中にトンネルを掘削して通り抜けるのを困難にして自動車道路への侵入防止を図る
【００１５】 
　弾性網状体１としては、下記の特性を有するポリエステルモノフィラメントを素材とし、撚り合わせ部分に溶着または接着を伴うことなく織成してなる多角形の網目を有する合成樹脂製網状体を使用した。網目の形状は、ハニカム（六角形）又は準ハニカム形状である。極限粘度＝０．６以上 線径＝１．５〜４．５ｍｍ 強度伸度積＝７５０〜３０００ｋｇ／ｍｍ２・％ 摩耗耐久性＝５０００回／ｍｍ２以上。尚、本実施例では、ＳＴＫネット（商品名：粕谷製網株式会社製）を用いた。図２にその平面図を示す。ＳＴＫネットは、撚り合わせ部分（バネ様構造）１ｂが１ｍ２当たり２００箇所以上あり、極めて弾発性能に優れた網状体である。」 
  
　ウ　上記ア、イの記載を踏まえると以下の甲８発明が記載されていると認められる。 
  
甲８発明 
「小動物が自動車道路の用地境界に設置された立入り防止柵の下方から道路へ侵入することを防止する侵入防止装置であって、 
　自動車道路との境界に設置される既設の立入り防止柵２の下部から地面にかけて弾性網状体１を取り付け、弾性網状体１を略直角に屈曲して立位部１ａとスカート部１ｃとを構成し、立位部１ａの任意箇所を結束バンド４等で立入り防止柵２の胴縁７に固定し、スカート部１ａを倒伏させ弾発付勢して地面８に当接させ、 
　立位部１ａで、立入り防止柵２と地面８との隙間から小動物が道路へ直接的に侵入するのを防ぐと同時に、スカート部１ａで、立入り防止柵２近傍から地中にトンネルを掘削して通り抜けるのを困難にして自動車道路への侵入防止を図る、 
　侵入防止装置」 
  
（９）甲第９号証には、次の記載がある。 
　ア　「【請求項１】 
着色顔料を含有するポリエステルを芯成分、酸化チタンを含有し、芯成分より低融点で融点が１３０〜２００℃であり、芯成分とは異色である共重合ポリエステルを鞘成分とする芯鞘型複合繊維であって、切断強度が３．５ｃＮ／ｄｔｅｘ以上、切断伸度が３０％以下であることを特徴とする原着熱接着性長繊維
  
　イ　「【０００８】 
【発明が解決しようとする課題】 
本発明は、上記の問題点を解決し、自然環境下で使用する産業資材や家庭用資材に用いる場合において好適な色彩を呈することができ、かつ高強度で寸法安定性に優れる原着熱接着性長繊維を提供することを技術的な課題とするものである。」 
  
　ウ　「【００２４】 
そして、次に、鞘成分には光沢を抑制するために、酸化チタンを含有させて白色にする。これにより、前記したように、溶融熱接着後にフィラメント中の各単糸の芯部が集合し、その芯部の周りを鞘成分が覆うモノフィラメント形状となるため、溶融熱接着前と比べて芯部の色が濃く見えたり、光沢が強く見えるという現象を防ぐことができ、落ち着きのある高品位な色彩を有した成形品を得ることができる。」 
  
　エ　「【００３５】 
実施例１ 
・・・ 
次いで、油剤を付与して非加熱の第１ローラに引き取り、連続して温度９０℃の第２ローラで１．０２倍の引き揃えを行い、その後、温度１４０℃の第３ローラで５．２倍の延伸を行い、温度１２０℃の第４ローラで３％の弛緩処理を行って、１％のリラックスを掛けて速度３０００ｍ／分のワインダーに巻き取り、５５５ｄｔｅｘ／４８フィラメントの同心丸断面形状で黒原着色の熱接着性長繊維を得た。」 
４　取消理由通知（決定の予告）に記載した取消理由（第２９条第２項）について
（１）本件発明１について 
　ア　対比 
　（ア）甲１発明の「網地部６１（仕切ネット）」は、「野生動物等の敷地内への侵入を防止する防獣ネット等に使用してもよい」ので、本件発明１の「小動物防獣ネット」に相当する。 
 
　（イ）甲１発明の「網地部６１（仕切ネット）」は「第１糸と」「第２糸と、を合糸した複数の混合糸６３を網糸として使用し」「網目の形状は」「格子状等であってもよ」いので、甲１発明は、本件発明１の「経糸及び緯糸が格子状に配列されると共に、各辺が２．５〜３．５ｃｍである角目を持つラッセル編物で構成されており」と、「経糸及び緯糸が格子状に配列されると共に、角目を持つネット状編織物で構成されて」いる点で共通する。
 
　（ウ）甲１発明の「網地部６１（仕切ネット）」は「所定の融点を有するポリエステル製の通常融点繊維素材から構成される芯部およびその芯部の外周面を被覆すると共に通常融点繊維素材よりも低い融点を有するポリエステル製の低融点繊維素材から構成される鞘部を備えた第１糸と、通常融点繊維素材から構成される第２糸と、を合糸した複数の混合糸６３を網糸として使用し、第１糸の鞘部を溶融して複数の混合糸６３を互いに融着させることで網状に成形されて」いること、及び「混合糸６３全体に対する第１糸の含有率を１００％、即ち、混合糸６３を第１糸のみにより形成してもよ」いことから、甲１発明は、本件発明１の「ラッセル編物の前記経糸及び前記緯糸は、芯成分がポリエチレンテレフタレートである高融点重合体で鞘成分が共重合ポリエステルである低融点重合体よりなる、繊度５〜１５デシテックスの芯鞘型複合長繊維が多数本集束されてなるマルチフィラメント糸を素材とするものであり、該経糸が鎖編糸及び挿入糸で形成されており、該緯糸が挿入糸のみで形成されており、前記鞘成分の溶融固化によって、前記マルチフィラメント糸を構成する前記芯鞘型複合長繊維相互間が融着して一体化していると共に、経糸及び緯糸の交錯点で融着していること」と、「経糸及び緯糸は、芯成分がポリエステル製の高融点重合体で鞘成分がポリエステル製の低融点重合体よりなる芯鞘型複合長繊維が多数本集束されてなるマルチフィラメント糸を素材とするものであり、前記鞘成分の溶融固化によって、前記マルチフィラメント糸を構成する前記芯鞘型複合長繊維相互間が融着して一体化していると共に、経糸及び緯糸の交錯点で融着している」点で共通する。
　（エ）上記（ア）〜（ウ）から、本件発明１と甲１発明は、以下の点で一致し、相違点１〜３で相違する。 
  
（一致点） 
　「小動物防獣ネットにおいて、 
　前記小動物防獣ネットは、経糸及び緯糸が格子状に配列されると共に、角目を持つネット状編織物で構成されており、 
　前記経糸及び緯糸は、芯成分がポリエステル製の高融点重合体で鞘成分がポリエステル製の低融点重合体よりなる芯鞘型複合長繊維が多数本集束されてなるマルチフィラメント糸を素材とするものであり、前記鞘成分の溶融固化によって、前記マルチフィラメント糸を構成する前記芯鞘型複合長繊維相互間が融着して一体化していると共に、経糸及び緯糸の交錯点で融着している、 
　小動物防獣ネット。」 
  
（相違点１） 
　小動物防獣ネットについて、本件発明１が「地盤上に起立して設置された防護柵の下部に沿って垂下させると共に、該地盤に沿って敷設されることにより略Ｌ字状に付設される」のに対し、甲１発明は「所定の高さ位置から上方において展張される上方ネット５０と、所定の高さ位置から下方において展張される下方ネット６０とを備え」る「ネット４０」の「下方ネット６０の網地を形成する」点。
（相違点２）
　本件発明１が「小動物はタヌキ」であるのに対し、甲１発明はそのような特定がなされていない点。
（相違点３）
　小動物防獣ネットについて、本件発明１が「各辺が２．５〜３．５ｃｍである角目を持つラッセル編物で構成されており、前記ラッセル編物の前記経糸及び前記緯糸は、芯成分がポリエチレンテレフタレートである高融点重合体で鞘成分が共重合ポリエステルである低融点重合体よりなる、繊度５〜１５デシテックスの芯鞘型複合長繊維が多数本集束されてなるマルチフィラメント糸を素材とするものであり、該経糸が鎖編糸及び挿入糸で形成されており、該緯糸が挿入糸のみで形成されて」いるのに対し、甲１発明はそのような特定がなされていない点。
　イ　判断 
　まず、相違点３について検討する。
　相違点３の「該経糸が鎖編糸及び挿入糸で形成されており、該緯糸が挿入糸のみで形成されて」いる点について、甲第２号証〜甲第９号証には記載されておらず、ラッセル編物において、このような構成を取ることが周知技術であるという証拠もない。
　申立人は、平成３１年２月１８日付け意見書（以下「意見書」という。）において、「ラッセル網において構成糸をどのようにするかは当業者が適宜選択可能な設計事項である。したがって、経糸を鎖編糸及び挿入糸で形成し、緯糸を挿入糸のみで形成することは、当業者が容易になし得ることである。なお、本件特許権者は、平成３０年１２月２７日付で提出された特許異議意見書において、緯糸を挿入糸のみで形成することにより緯方向の剛性・弾性を調節でき、この構成はラッセル編物の緯糸を垂直にして敷設する場合に有効であると主張している。しかしながら、訂正後の特許請求項１には、ラッセル編物の緯糸を垂直にして敷設することは記載されていない。したがって、訂正後の特許請求項１では、必ずしも上記本件特許権者の主張による効果を得ることができるとは言えない。」（５頁９行〜１９行）旨主張している。しかしながら、上記したように、「該経糸が鎖編糸及び挿入糸で形成されており、該緯糸が挿入糸のみで形成されて」いることが、周知技術であることを示す証拠はなく、また、設計事項であることを示す証拠もない。
　したがって、甲１発明において、相違点３に係る「該経糸が鎖編糸及び挿入糸で形成されており、該緯糸が挿入糸のみで形成されて」いるような構成とすることは、当業者が容易に想到しうる程度のこととはいえない。
　ウ　小活 
　よって、他の相違点について検討するまでもなく、本件発明１は、甲１発明、甲第２号証〜甲第９号証に記載された事項に基いて、当業者が容易に発明をすることができたものではないから、その特許は特許法第２９条第２項の規定に違反してされたものではない。
（２）本件発明６〜１０について
　本件発明６〜１０は、本件発明１に従属し、本件発明１の発明特定事項をすべて含むものであるから、本件発明１と同様の理由（上記（１）参照）により、甲１発明において、相違点３に係る本件発明６〜１０の構成にすることは、当業者が容易に想到し得ることではない。
５　請求項２〜５に対する特許異議の申立てについて  
　上記第２のとおり、請求項２〜５を削除する本件訂正が認められたので、請求項２〜５に対する本件特許異議の申立ては、その対象が存在しないものとなった。  
　したがって、請求項２〜５に対する本件特許異議の申立ては、不適法な特許異議の申立てであるから、特許法第１２０条の８第１項で準用する同法第１３５条の規定によって却下すべきである。
第４　むすび 
　以上のとおりであるから、取消理由通知に記載した取消理由及び特許異議申立書に記載した特許異議申立理由、証拠によっては、本件請求項１、６〜１０に係る特許を取り消すことはできない。
　また、他に本件請求項１、６〜１０に係る特許を取り消すべき理由を発見しない。 
　そして、請求項２〜５に対する本件特許異議の申立ては、特許法第１２０条の８第１項で準用する同法第１３５条の規定によって却下すべきものである。 
　よって、結論のとおり決定する。 
【異議決定日】
平成３１年４月２５日（２０１９．４．２５）
【訂正の要旨】
審決（決定）の【理由】欄参照。
（５４）【発明の名称】
小動物防獣ネット
　【技術分野】
　【０００１】
　本発明は、防護柵の下部から小動物が敷地内に進入するのを防止するための防獣ネットに関し、特に山野と自動車道路の境界に設置された防護柵の下部から小動物が自動車道路に進入するのを防止するための防獣ネットに関するものである。
　【背景技術】
　【０００２】
　山野を通過する高速道路においては、走行中の車両と野生動物との衝突事故が発生している。ＮＥＸＣＯ西日本で発表された統計によると、平成１８年に管内で発生したロードキルは１４，７２９件であり、このうち最も多いのはタヌキで全体の４５％を占め、続いて鳥、犬・猫である。タヌキは夜間に行動するが、高速道路と山野の境界に起立して設置した防護柵の下部のすき間などから侵入し、自動車のヘッドライトを見てすくんでしまう性質が災いしていると考えられる。また、鳥類は道路で災禍にあった動物の死肉を求めて飛来するものがあり、二次的なロードキルの一因となっている。
　【０００３】
　タヌキ等の高速道路内への進入を防止するため、従来より、山野と高速道路の境界に起立して設置した防護柵の下部に弾性及び剛性のある合成樹脂製網状体を、小動物防獣ネットとして付設することが行われている（特許文献１）。付設構造の具体例としては、図１に示すように、防護柵１の下部に沿って合成樹脂製網状体よりなる小動物防獣ネット２を垂下させると共に山野側の地盤に沿って敷設することが行われている。そして、合成樹脂製網状体よりなる小動物防獣ネット２は、防護柵１の支柱の箇所で結束バンド３等で固定されており、小動物防獣ネット２と地盤とはアンカーピン４等で固定されて、敷設されている。特許文献１において提案されている合成樹脂製網状体は、図２に示したように、弾性及び剛性のあるポリエステルモノフィラメント２１よりなる亀甲網で構成されるものである。かかる亀甲網は、各ポリエステルモノフィラメント２１を左右に折り曲げながら、結節箇所では撚り合わせるという方法で得られるものである。しかしながら、かかる方法は、結節箇所において弾性及び剛性のあるポリエステルモノフィラメント２１同士を撚り合わせなければならず、小動物防獣ネットの製造方法としては不合理であるという欠点があった。
　【０００４】
　【特許文献１】　特許第５３１１１９８号公報
　【発明の概要】
　【発明が解決しようとする課題】
　【０００５】
　本発明の課題は、合理的な製造方法で得られる小動物防獣ネットを提供することにあり、特に、弾性及び剛性のある小動物防獣ネットを提供することにある。
　【課題を解決するための手段】
　【０００６】
　上記課題を解決するため、本発明は、特定の糸を
ラッセル編機で編成
地盤上に
沿って垂下させると共に、該地盤に沿って敷設されることにより略Ｌ字状に
前記小動物はタヌキであり、
各辺が２．５〜３．５ｃｍである
ラッセル編物
前記ラッセル編物の
前記
ポリエチレンテレフタレートである
共重合ポリエステルである
、繊度５〜１５デシテックスの
該経糸が鎖編糸及び挿入糸で形成されており、該緯糸が挿入糸のみで形成されており
　【０００７】
　本発明に係る小動物防獣ネットは、起立して設置された防護柵の下部に付設されるものである。付設構造の一具体例としては、図１に示したとおりであり、防護柵１の下部に沿って小動物防護ネット２を垂下させると共に山野側の地盤に沿って敷設する構造が挙げられる。
　【０００８】
　小動物用防獣ネットは、経糸及び緯糸が格子状に配列されると共に、角目を持つ
ラッセル編物
　【０００９】
　ラッセル編物
は
　【００１０】
　図３に示す編組織では、各挿入糸は隣のウエールに飛んでいるが、隣のウエールではなく１ウェールを挿通して２ウエール飛んでいてもよいし、３ウエール以上飛んでいてもよい。この飛ぶウェールが多くなればなるほど、緯糸となる挿入糸の本数が増加して、一体となった緯糸の剛性が高くなる。すなわち、挿入糸が２ウエール飛んでいると、緯糸となる挿入糸は３本となり、また挿入糸が３ウエール飛んでいると、緯糸となる挿入糸は４本となり、これらが一体となって剛性が高くなるのである。また、図３に示す編組織は、５コース毎に挿入糸が隣のウエールに飛んでいるが、５コース以上置いて挿入糸を隣のウエールに飛ばしてもよいし、５コース未満で挿入糸を隣のウエールに飛ばしてもよい。これによって、角目の大きさを任意に変更することができる。角目の大きさは、
２．５〜３．５ｃｍ
　【００１１】
　（削除）
　【００１２】
　
ラッセル編物
ポリエチレンテレフタレート
共重合
　【００１３】
　かかる芯鞘型複合長繊維が多数本集束されてなるマルチフィラメント糸を、製編織時における経糸及び緯糸として用いる。ラッセル編物の場合、経糸として用いたものは鎖編糸となり、緯糸として用いたものは挿入糸となる。芯鞘型複合長繊維を集束する際に、他の高融点長繊維たとえばレギュラーポリエステル長繊維の複数本を追加して共に集束してもよい。集束する本数も任意であるが、一般的に１０００〜６０００本である。１０００本未満であると、
ラッセル編物
ラッセル編物
　【００１４】
　経糸及び緯糸として用いられたマルチフィラメント糸は、製編織後に低融点成分の融点以上で高融点成分の融点以下の温度で熱処理が施され、低融点成分のみが溶融して、各芯鞘型複合長繊維相互間が融着する。これによって、経糸及び緯糸は一体になる。一体となった経糸及び緯糸の径は、１〜４ｍｍ程度である。また、経糸及び緯糸の交錯点でも融着して一体となる。一方、高融点成分は溶融せずに、当初の長繊維形態を維持している。したがって、低融点成分が溶融固化したものの内部に、高融点成分よりなる芯成分が長繊維形態を保って内在しており、得られる
ラッセル編物
ラッセル編物
　【００１５】
　以上の
ラッセル編物
　【００１６】
　また、小動物防獣ネット２と地盤の間に防草シートを敷設しておくのも好ましいことである。防草シートを敷設しておくと、雑草の成長が抑制され草刈り作業が軽減される。また、防草シートも黒色とすることで、よりイノシシ等の動物が近づきにくくなる。防草シートとしては従来公知のものが用いられ、たとえば、ポリエステル不織布よりなるものなどを用いることができる。
　【発明の効果】
　【００１７】
　本発明に係る小動物防獣ネットは、特定のマルチフィラメント糸を用いて、ラッセル編物を製編して、熱処理するだけで得られるものであるため、特許文献１に記載された小動物防獣ネットに比べて、合理的に得ることができるという効果を奏する。
　【００１８】
　また、用いるマルチフィラメント糸は、芯成分が高融点重合体で鞘成分が低融点重合体よりなる芯鞘型複合長繊維が多数本集束されてなるマルチフィラメント糸を素材とするものであり、この鞘成分のみの溶融固化によって、マルチフィラメント糸を構成する芯鞘型複合長繊維相互間が融着して一体化している。また、経糸及び緯糸の交錯点も、鞘成分のみの溶融固化によって、融着して一体化している。一方、芯成分は当初の長繊維の形態を維持したままである。したがって、低伸度、高引張強度及び切創性（切断性）に優れており、小動物等による変形、破断及び噛み切りが生じにくく、小動物防獣ネットの寿命が長くなるという効果を奏する。また、高剛性であるため、曲げて付設構造としたとき、地盤及び防護柵に対する圧が高くなり、小動物が地盤や防護柵から防獣ネットをまくり上げるのを防止しうるという効果も奏する。
　【実施例】
　【００１９】
実施例１
　以下のマルチフィラメント糸Ａ及びマルチフィラメント糸Ｂを準備した。
　マルチフィラメント糸Ａ：鞘成分が融点１６０℃の共重合ポリエステル（低融点重合体）よりなり、芯成分が融点２６０℃のポリエチレンテレフタレート（高融点重合体、レギュラーポリエステル）よりなる芯鞘型複合長繊維よりなる１６７０デシテックス／１９２フィラメント（ユニチカ株式会社製：「メルセット」）のマルチフィラメント糸を９本引き揃えたものを、マルチフィラメント糸Ａとした。したがって、マルチフィラメント糸Ａは、１５０３０デシテックス／１７２８フィラメントのマルチフィラメント糸ということになる。
　マルチフィラメント糸Ｂ：上記で用いた１６７０デシテックス／１９２フィラメント（ユニチカ株式会社製：「メルセット」）のマルチフィラメント糸を１２本合糸し、Ｓ方向に４０回／ｍの撚数で撚った糸を２本引き揃えた糸をマルチフィラメントＢとした。したがって、マルチフィラメントＢは、４００８０デシテックス／４６０８フィラメントのマルチフィラメント糸ということになる。
　【００２０】
　マルチフィラメント糸Ａを鎖編する糸とし、マルチフィラメントＢを挿入糸として、ラッセル編機で図３の編組織となるように製編した。製編後、１８０℃で１分の条件で熱セット加工を施した。この熱セット加工によって、鞘成分である共重合ポリエステルは溶融固化した。そして、経糸となる鎖編糸及び挿入糸は一体化され、緯糸となる挿入糸も一体化された。経糸と緯糸の交錯点でも、鎖編糸及び挿入糸は一体化された。得られたネット状編物は、２．５ｃｍの角目を持つものであった。このネット状編物を防護柵の下部に付設して小動物防獣ネットとして使用した。付設方法は、防護柵の下部に沿って垂下させると共に山野側の地盤に沿って敷設し、防護柵に２．５ｍ間隔で設けられている支柱に結束バンドで固定した。また、山野側の地盤には、ポリエステル不織布よりなる防草シートを地盤に敷設した上に敷設した。防護柵から山野側への敷設距離は４０ｃｍとした。また、地盤上へはアンカーピンで固定した。
　【００２１】
実施例２
　以下のマルチフィラメント糸Ｂ及びマルチフィラメント糸Ｃを準備した。
　マルチフィラメント糸Ｂ：実施例１で用いたマルチフィラメント糸Ｂを用いた。
　マルチフィラメント糸Ｃ：実施例１で用いた１６７０デシテックス／１９２フィラメント（ユニチカ株式会社製：「メルセット」）のマルチフィラメント糸を４本引き揃えたものを、マルチフィラメント糸Ｃとした。したがって、マルチフィラメント糸Ｃは、６６８０デシテックス／７６８フィラメントのマルチフィラメント糸ということになる。
　【００２２】
　マルチフィラメント糸Ｃを鎖編する糸とし、マルチフィラメントＢを挿入糸として、ラッセル編機で製編した。編組織は、挿入糸を飛ばす間隔を７コースとする他は、図３と同様の組織とした。製編後、実施例１と同一の条件で熱セット加工を施した。この熱セット加工によって、鞘成分である共重合ポリエステルは溶融固化した。そして、経糸となる鎖編糸及び挿入糸は一体化され、緯糸となる挿入糸も一体化された。経糸と緯糸の交錯点でも、鎖編糸及び挿入糸は一体化された。得られたネット状編物は、３．５ｃｍの角目を持つものであった。このネット状編物を実施例１と同一の方法で防護柵の下部に付設して、小動物防獣ネットとした。
　【００２３】
　実施例１及び２で得られた小動物防獣ネットについて、以下の物性を測定し、表１に示した。
　（１）引張強度（Ｎ／本）：ＪＩＳＬ１０４３−１９９２に基づいて測定した。経糸については、交錯点はそのままにして、１本の経糸を切り出して、その両端をつかみ間隔２０ｃｍで把持し、引張速度２０ｃｍ／ｍｉｎで測定した。また、緯糸については、交錯点はそのままにして、１本の緯糸を切り出して、その両端をつかみ間隔２０ｃｍで把持し、引張速度２０ｃｍ／ｍｉｎで測定した。
　（２）伸度（％）：引張強度を測定した際の最大強度を示したときの伸び率を測定した。
　（３）切創性（Ｎ／本）：ＩＳＯ１３９９７に定められた切創性試験装置ＴＤＭ−１００を用い、試験用刃物と１本の経糸又は緯糸との間に一定の力を加えながら、１本の経糸又は緯糸を輪切りに切断した。試験用刃物が１本の経糸又は緯糸の上を２０ｍｍ移動させて、１本の経糸又は緯糸を切断しうる時に必要な切断荷重（Ｎ／本）を測定し、切創性を評価した。
　（４）交錯点強度（Ｎ／個）：引張強度を測定したときと同様に、交錯点はそのままにして、１本の経糸を切り出した。一方のクランプは経糸を把持し、他方のクランプはクランプに近接する交錯点の両側の緯糸を把持し、クランプ間のつかみ間隔を２０ｃｍとし、引張速度２０ｃｍ／ｍｉｎで測定した。これを経糸の交錯点強度とした。また、交錯点はそのままにして、１本の緯糸を切り出した。一方のクランプは緯糸を把持し、他方のクランプはクランプに近接する交錯点の両側の経糸を把持し、クランプ間のつかみ間隔を２０ｃｍとし、引張速度２０ｃｍ／ｍｉｎで測定した。これを緯糸の交錯点強度とした。
　【００２４】
［表１］
　【００２５】
　表１に示したとおり、実施例１及び２に係る小動物防獣ネットは、各種機械的物性に優れたものであり、小動物による変形、切断及び噛み切りなどの生じにくいものであった。
　【図面の簡単な説明】
　【００２６】
　【図１】　防護柵に小動物防獣ネットが付設されている状態を示した模式的側面図である。
　【図２】　特許文献１に記載されている小動物防獣ネットを示した平面図である。
　【図３】　本発明の一例に係る小動物防獣ネットを製造する際に用いるラッセル編物の編組織図である。
　【符号の説明】
　【００２７】
　１　　　防護柵
　２　　　小動物防獣ネット
　３　　　結束バンド
　４　　　アンカーピン
　５ａ，５ｂ，５ｃ，５ｄ　　　鎖編糸
　６ａ，６ｂ，６ｃ，６ｄ，６ｅ，６ｆ，６ｇ，６ｈ　　　挿入糸
　２１　　ポリエステルモノフィラメント
（５７）【特許請求の範囲】
　【請求項１】
　
地盤上に
沿って垂下させると共に、該地盤に沿って敷設されることにより略Ｌ字状に
　
前記小動物はタヌキであり、
　前記小動物防獣ネットは、経糸及び緯糸が格子状に配列されると共に、
各辺が２．５〜３．５ｃｍである
ラッセル編物
　
前記ラッセル編物の
前記
ポリエチレンテレフタレートである
共重合ポリエステルである
、繊度５〜１５デシテックスの
該経糸が鎖編糸及び挿入糸で形成されており、該緯糸が挿入糸のみで形成されており
　前記鞘成分の溶融固化によって、前記マルチフィラメント糸を構成する前記芯鞘型複合長繊維相互間が融着して一体化していると共に、経糸及び緯糸の交錯点で融着していることを特徴とする小動物防獣ネット。
　【請求項２】
　（削除）
　【請求項３】
　（削除）
　【請求項４】
　（削除）
　【請求項５】
　（削除）
　【請求項６】
　黒色である請求項１記載の小動物防獣ネット。
　【請求項７】
　請求項１記載の小動物防
獣
獣
　【請求項８】
　地盤と小動物防
獣
獣
　【請求項９】
　小動物防
獣
獣
　【請求項１０】
　地盤とネット状編織物の間に、黒色の防草シートが敷設されている請求項９記載の小動物防
獣